(57)【要約】【課題】本発明は、衣類処理のために備えられる装置（乾燥機、洗濯機、乾燥兼用洗濯機など）を支持するように設けられ、衣類の洗濯や乾燥も行うことができる衣類処理装置を提供することを解決しようとする課題とする。【解決手段】本発明は、物体が支持される空間を提供する上部面が設けられたキャビネットと、前記キャビネットから引き出し可能に設けられるドロワーと、前記ドロワーの内部に設けられ、洗濯物が貯蔵される空間を提供するドラムと、前記ドラムを回転させる駆動部と、前記駆動部を制御する制御部と、前記キャビネットの上部面に物体が載置された場合にのみ前記制御部が前記駆動部の作動を制御できるようにする接続部とを含む衣類処理装置に関する。【選択図】図１
2015226773.tif 000002
【特許請求の範囲】
【請求項１】
物体を支持可能な上部面が設けられたキャビネットと、
前記キャビネットから引き出し可能に設けられるドロワーと、
前記ドロワーの内部に設けられ、洗濯物が貯蔵される空間を提供するドラムと、
前記ドラムを回転させる駆動部と、
前記駆動部を制御する制御部と、
前記キャビネットの上部面に物体が載置された場合にのみ前記制御部が前記駆動部の作動を制御できるようにする接続部とを含む、衣類処理装置。
【請求項２】
前記接続部は、前記制御部と前記駆動部とを連結させる回路を開閉するように設けられる、請求項１に記載の衣類処理装置。
【請求項３】
前記衣類処理装置の作動情報が表示され、前記制御部に常に接続された状態を維持する表示部をさらに含む、請求項２に記載の衣類処理装置。
【請求項４】
前記接続部は、前記制御部及び前記駆動部に電力を供給する回路を開閉するように設けられる、請求項１に記載の衣類処理装置。
【請求項５】
前記衣類処理装置の作動情報が表示され、前記制御部に常に接続された状態を維持する表示部をさらに含み、
前記制御部及び前記表示部は、電力が供給される回路に常に接続された状態を維持し、
前記接続部は、前記駆動部に電力を供給する回路を開閉するように設けられる、請求項１に記載の衣類処理装置。
【請求項６】
前記接続部は、
前記キャビネットの内部に固定されるスイッチボディーと、
前記スイッチボディーを貫通するように設けられるボディー貫通孔と、
前記ボディー貫通孔に挿入して設けられ、一端は前記キャビネットの外部に露出され、他端は前記スイッチボディーの内部で往復するように設けられたスライダーと、
前記スイッチボディーの内部に設けられ、前記スライダーによって、前記制御部と前記駆動部とを連結する回路を開閉する接点（ｃｏｎｔａｃｔ）とを含む、請求項１に記載の衣類処理装置。
【請求項７】
前記ボディー貫通孔を通して異物が前記スイッチボディーの内部に流入することを防止するシーリング部をさらに含む、請求項６に記載の衣類処理装置。
【請求項８】
前記キャビネットの上部面を貫通するように設けられるキャビネット貫通孔と、
前記スライダーに固定されて前記キャビネット貫通孔に位置し、前記スライダーの断面積よりも大きい面積を有する支持面とをさらに含む、請求項６に記載の衣類処理装置。
【請求項９】
前記ボディー貫通孔を通して異物が前記スイッチボディーの内部に流入することを防止するシーリング部をさらに含む、請求項８に記載の衣類処理装置。
【請求項１０】
前記キャビネットの上部面を貫通するように設けられるキャビネット貫通孔をさらに含み、
前記接続部は、
前記キャビネットの内部に固定されるハウジングと、
前記ハウジングを貫通するように設けられ、前記キャビネット貫通孔の下部に位置するハウジング貫通孔と、
前記ハウジングに固定され、前記制御部と前記駆動部とを連結する回路を開閉するスイッチと、
前記ハウジング貫通孔の内部で往復可能に設けられ、前記スイッチを作動させる加圧部とを含む、請求項１に記載の衣類処理装置。
【請求項１１】
前記スイッチは、
前記ハウジングに固定され、前記ハウジング貫通孔の外部に位置するスイッチボディーと、
一端は前記ハウジング貫通孔に位置し、他端は前記スイッチボディーの内部で往復するように設けられたスライダーと、
前記スイッチボディーの内部に設けられ、前記スライダーによって、前記制御部と前記駆動部とを連結する回路を開閉する接点（ｃｏｎｔａｃｔ）とを含む、請求項１０に記載の衣類処理装置。
【請求項１２】
前記加圧部の往復運動を案内する加圧部ガイダーをさらに含む、請求項１１に記載の衣類処理装置。
【請求項１３】
前記加圧部は、
前記キャビネット貫通孔に位置し、前記キャビネットの上部面に載置される物体が接触する支持面と、
前記支持面によって前記ハウジング貫通孔の内部で往復し、前記スライダーを加圧可能に設けられるボディーとを含む、請求項１１に記載の衣類処理装置。
【請求項１４】
前記ボディー及び前記ハウジング貫通孔に露出された前記スライダーの一端のうちの少なくともいずれか１つに設けられ、前記ボディーと前記スライダーとが接触する面を形成する傾斜面をさらに含む、請求項１３に記載の衣類処理装置。
【請求項１５】
前記キャビネットの上部面に載置される第２衣類処理装置をさらに含み、
前記第２衣類処理装置は、
前記キャビネットの上部面に載置されて前記接続部を作動させる第２キャビネットと、
前記第２キャビネットの内部に設けられ、洗濯物が貯蔵される空間を提供する第２ドラムと、
前記第２ドラムを回転させる第２駆動部とを含む、請求項１〜１４のいずれか一項に記載の衣類処理装置。
【発明の詳細な説明】
【技術分野】
【０００１】
本発明は、衣類処理装置に関する。
【背景技術】
【０００２】
一般に、衣類処理装置は、洗濯物を洗濯する装置、洗濯物を乾燥する装置、洗濯物の洗濯及び乾燥の両方を行うことができる装置を含む概念である。
【０００３】
洗濯物を衣類処理装置の前方から投入するフロントローディング方式（所謂「ドラム洗濯機」）の衣類処理装置は、洗濯物を投入するために設けられた投入口が使用者の腰よりも低い位置に形成されているため、使用者が洗濯物を衣類処理装置に投入したり、または衣類処理装置から洗濯物を取り出すときに、腰を曲げなければならない不便さがあった。
【０００４】
このような不便さを除去するために、従来の衣類処理装置の中には、フロントローディング方式の衣類処理装置の下部に受け台を追加して投入口の高さを高めたものがあった。
【０００５】
しかし、従来の衣類処理装置に備えられた受け台は、衣類処理装置の投入口を高めるための手段に過ぎず、洗濯物の洗濯や乾燥のような衣類処理の機能を具現できないという欠点があった。
【発明の概要】
【発明が解決しようとする課題】
【０００６】
本発明は、衣類処理のために備えられる装置（乾燥機、洗濯機、乾燥兼用洗濯機など）を支持するように設けられ、衣類の洗濯や乾燥も行うことができる衣類処理装置を提供することを解決しようとする課題とする。
【０００７】
また、本発明は、上部面に別途の衣類処理装置が載置された場合にのみ衣類処理機能を行うことができる衣類処理装置を提供することを解決しようとする課題とする。
【課題を解決するための手段】
【０００８】
本発明は、上述した課題を解決するために、物体が支持される空間を提供する上部面が設けられたキャビネットと、前記キャビネットから引き出し可能に設けられるドロワーと、前記ドロワーの内部に設けられ、洗濯物が貯蔵される空間を提供するドラムと、前記ドラムを回転させる駆動部と、前記駆動部を制御する制御部と、前記キャビネットの上部面に物体が載置された場合にのみ前記制御部が前記駆動部の作動を制御できるようにする接続部とを含む衣類処理装置を提供する。
【０００９】
前記接続部は、前記制御部と前記駆動部とを連結させる回路を開閉するように設けられてもよい。
【００１０】
この場合、本発明は、前記衣類処理装置の作動情報が表示され、前記制御部に常に接続された状態を維持する表示部をさらに含むことができる。
【００１１】
一方、前記接続部は、前記制御部及び前記駆動部に電力を供給する回路を開閉するように設けられてもよい。
【００１２】
本発明は、前記衣類処理装置の作動情報が表示され、前記制御部に常に接続された状態を維持する表示部をさらに含み、前記制御部及び前記表示部は、電力が供給される回路に常に接続された状態を維持し、前記接続部は、前記駆動部に電力を供給する回路を開閉するように設けられてもよい。
【００１３】
前記接続部は、前記キャビネットの内部に固定されるスイッチボディーと、前記スイッチボディーを貫通するように設けられるボディー貫通孔と、前記ボディー貫通孔に挿入されて設けられ、一端は前記キャビネットの外部に露出され、他端は前記スイッチボディーの内部で往復するように設けられたスライダーと、前記スイッチボディーの内部に設けられ、前記スライダーによって、前記制御部と前記駆動部とを連結する回路を開閉する接点（ｃｏｎｔａｃｔ）とを含むことができる。
【００１４】
本発明は、前記スイッチボディーに設けられ、前記ボディー貫通孔を通して異物が前記スイッチボディーの内部に流入することを防止するシーリング部をさらに含むことができる。
【００１５】
本発明は、前記キャビネットの上部面を貫通するように設けられるキャビネット貫通孔と、前記スライダーに固定されて前記キャビネット貫通孔に位置し、前記スライダーの断面積よりも大きい面積を有する支持面とをさらに含むことができる。
【００１６】
本発明は、前記スイッチボディーに設けられ、前記ボディー貫通孔を通して異物が前記スイッチボディーの内部に流入することを防止するシーリング部をさらに含むことができる。
【００１７】
本発明は、前記キャビネットの上部面を貫通するように設けられるキャビネット貫通孔をさらに含み、前記接続部は、前記キャビネットの内部に固定されるハウジングと、前記ハウジングを貫通するように設けられ、前記キャビネット貫通孔の下部に位置するハウジング貫通孔と、前記ハウジングに固定され、前記制御部と前記駆動部とを連結する回路を開閉するスイッチと、前記ハウジング貫通孔の内部で往復可能に設けられ、前記スイッチを作動させる加圧部とを含むことができる。
【００１８】
前記スイッチは、前記ハウジングに固定され、前記ハウジング貫通孔の外部に位置するスイッチボディーと、一端は前記ハウジング貫通孔に位置し、他端は前記スイッチボディーの内部で往復するように設けられたスライダーと、前記スイッチボディーの内部に設けられ、前記スライダーによって、前記制御部と前記駆動部とを連結する回路を開閉する接点（ｃｏｎｔａｃｔ）とを含むことができる。
【００１９】
本発明は、前記加圧部の往復運動を案内する加圧部ガイダーをさらに含むことができる。
【００２０】
前記加圧部は、前記キャビネット貫通孔に位置し、前記キャビネットの上部面に載置される物体が接触する支持面と、前記支持面によって前記ハウジング貫通孔の内部で往復し、前記スライダーを加圧可能に設けられるボディーとを含むことができる。
【００２１】
前記ボディーは、前記ハウジング貫通孔に露出された前記スライダーの一端を加圧する面が、傾斜面として備えられてもよい。
【００２２】
本発明は、前記ボディー及び前記ハウジング貫通孔に露出された前記スライダーの一端のうちの少なくともいずれか１つに設けられ、前記ボディーと前記スライダーとが接触する面を形成する傾斜面をさらに含むことができる。
【００２３】
本発明は、前記キャビネットの上部面に載置される第２衣類処理装置をさらに含み、前記第２衣類処理装置は、前記キャビネットの上部面に載置されて前記接続部を作動させる第２キャビネットと、前記第２キャビネットの内部に設けられ、洗濯物が貯蔵される空間を提供する第２ドラムと、前記第２ドラムを回転させる第２駆動部とを含むことができる。
【発明の効果】
【００２４】
本発明は、衣類処理のために備えられる装置（乾燥機、洗濯機、乾燥兼用洗濯機など）を支持するように設けられ、衣類の洗濯や乾燥も行うことができる衣類処理装置を提供する効果を図ることができる。
【００２５】
また、本発明は、上部面に別途の衣類処理装置が載置された場合にのみ衣類処理機能を行うことができる衣類処理装置を提供する効果を図ることができる。
【図面の簡単な説明】
【００２６】
【図１】本発明の衣類処理装置の一例を示す図である。
【図２】本発明の衣類処理装置の一例を示す図である。
【図３】本発明の衣類処理装置の上部面を示す図である。
【図４】本発明の衣類処理装置に備えられる接続部の一例を示す図である。
【図５】本発明の衣類処理装置に備えられる接続部の一例を示す図である。
【発明を実施するための形態】
【００２７】
以下では、添付の図面を参照して、本発明の好ましい実施例を詳細に説明する。一方、以下で記述する装置の構成や制御方法は、本発明の実施例を説明するためのものに過ぎず、本発明の権利範囲を限定するためのものではなく、明細書全般にわたって同一に使用された参照番号は同一の構成要素を示す。
【００２８】
本発明の衣類処理装置１００は、前記第１処理装置Ｌのみが備えられてもよく、図１に示すように、第１処理装置Ｌ及び第２処理装置Ｔが備えられてもよい。以下では、説明の便宜のため、第１処理装置Ｌ及び第２処理装置Ｔの両方が備えられた衣類処理装置１００を基準として説明する。
【００２９】
第１処理装置Ｌは、洗濯物の洗濯や乾燥のような衣類処理の機能を具現する装置であり、第２処理装置Ｔは、前記第１処理装置Ｌの上部面に着脱可能に設けられて衣類処理の機能を具現する装置である。
【００３０】
前記第２処理装置Ｔは、外観を形成し、第１処理装置Ｌの上部面に載置される第２キャビネット１と、前記第２キャビネット１の内部に設けられ、洗濯水が貯蔵される第２タブ１５と、前記第２タブ１５の内部に回転可能に設けられ、洗濯物が貯蔵される空間を提供する第２ドラム１６と、前記第２タブ１５に洗濯水を供給する第２給水部１７と、前記第２タブ１５に貯蔵された洗濯水を第２キャビネット１の外部に排出させる第２排水部１８とを含むことができる。
【００３１】
前記第２キャビネット１には、洗濯物の出入りのための第２処理装置投入口１９が設けられ、前記第２処理装置投入口１９は、第２キャビネット１に回転可能に結合された第２処理装置ドア１１によって開閉される。
【００３２】
前記第２処理装置投入口１９は、第２タブ１５に設けられた第２タブ投入口及び第２ドラム１６に設けられた第２ドラム投入口を介して、第２ドラム１６の内部と連通する。したがって、使用者は、第２処理装置ドア１１を開放することによって、第２ドラム１６の内部に洗濯物を投入するか、または第２ドラム１６の内部に貯蔵された洗濯物を第２キャビネットの外部に引き出すことができる。
【００３３】
一方、前記第２処理装置Ｔが洗濯物の乾燥機能も行うことができるように備えられる場合、前記第２キャビネット１の内部には、前記第２タブへ加熱された空気を供給する第２熱風供給装置（図示せず）がさらに設けられなければならない。
【００３４】
前記第２熱風供給装置（図示せず）は、第２タブの内部の空気を循環させるように設けられる循環ダクトと、前記循環ダクトの内部に設けられ、第２タブから排出された空気の除湿及び加熱のための熱交換部とが備えられてもよい。
【００３５】
しかし、前記第２熱風供給装置（図示せず）は、第２タブの内部の空気を第２キャビネット１の外部に排出させる排出ダクトと、第２キャビネット１の外部の空気を第２タブ１５に供給する供給ダクトと、前記供給ダクトに設けられ、供給ダクトに流入する空気を加熱する熱交換部とが備えられても構わない。
【００３６】
上述とは異なり、第２処理装置Ｔが洗濯物の乾燥のみを行うように備えられる場合、第２処理装置Ｔは、第２タブ１５を必要としない。ただし、上述した第２熱風供給装置は、第２キャビネット１の内部に設けられた第２ドラム１６に熱風を供給するように備えられなければならない。
【００３７】
本発明に備えられる第１処理装置Ｌは、第２キャビネット１を支持するキャビネット２と、前記キャビネット２から引き出し可能に設けられるドロワー３と、前記ドロワーの内部に設けられ、洗濯物の処理空間を提供する収容部４，５とを含む。
【００３８】
前記キャビネット２は第１処理装置Ｌの外観を形成しており、前記キャビネット２は、第２処理装置Ｔを上部面２７に載置できる限り、いかなる形状に設けられても構わない。
【００３９】
前記キャビネット２には開放面２１が設けられ、前記ドロワー３は、開放面２１を介してキャビネット２から引き出されるか、またはキャビネット２の内部に挿入され得る。この場合、前記開放面２１は、第２処理装置ドア１１が位置した方向（第２処理装置の前方面）に設けられることが好ましい。
【００４０】
前記ドロワー３は、上部面が開放された形状のドロワーボディー３１と、前記ドロワーボディーの開放された上部面に設けられるドロワーカバー３５とを含む。
【００４１】
前記ドロワーボディー３１は、内部が空いている空間を形成する六面体形状に設けられてもよく、前記ドロワーカバー３５は、ドロワーボディー３１の上部面を形成するようにドロワーボディー３１に固定される。
【００４２】
前記ドロワーボディー３１の前方面にはドロワーパネル３３が設けられ、前記ドロワーパネル３３は、キャビネットの開放面２１を開閉する手段であると共に、ドロワーボディー３１をキャビネット２から引き出したり、またはキャビネット２に挿入する手段となる。
【００４３】
前記ドロワーパネル３３には、第１処理装置Ｌの作動を制御するコントロールパネル３３１が設けられてもよい。コントロールパネル３３１は、前記収容部４，５に洗濯水を給／排水するための手段（給水部、排水部）、衣類を回転させる手段（駆動部）、衣類にスチームや熱風を供給する手段（熱風供給装置、水分供給装置）などを制御するために、使用者が制御命令を入力するための手段である。
【００４４】
また、前記コントロールパネル３３１には、使用者が第１処理装置Ｌに制御命令を入力できるようにする入力部３３２と、前記入力部３３２を介して入力された制御命令の確認や使用者が入力した制御命令の実行過程を使用者に通知するための表示部３３３（第１処理装置の作動情報を表示する手段）とが備えられてもよい。
【００４５】
前記ドロワーカバー３５には、前記ドロワーカバー３５を貫通するように設けられ、ドロワーボディー３１の内部をドロワーボディー３１の外部と連通させる投入口３５３と、前記ドロワーカバー３５を貫通するように設けられ、収容空間４，５に洗濯水を案内する給水口３５５とが備えられてもよい。
【００４６】
前記ドロワー３の内部に設けられる収容部４，５は、前記ドロワーボディー３１の内部に設けられ、洗濯水が貯蔵される空間を提供するタブ４と、前記タブの内部に回転可能に設けられ、洗濯物が貯蔵されるドラム５とを備えることができる。
【００４７】
前記タブ４は、タブ支持部４８によってドロワー３の内部に固定され、前記タブ支持部４８は、スプリングやダンパーのような振動減衰装置として備えられてもよい。
【００４８】
前記タブ４の上部面には、タブ４の内部をタブの外部と連通させるドア４９が設けられる。前記ドア４９はタブ４の上部面に回転可能に設けられており、前記ドア４９は、ドロワーカバー３５に設けられた投入口３５３を介してドロワー３の外部に引き出し可能である。したがって、使用者は、ドロワー３をキャビネット２から引き出した後、ドア４９を開けてタブ４に洗濯物を投入することができる。
【００４９】
一方、前記タブ４の上部面には、ドロワー３に設けられた給水口３５５から供給される洗濯水をタブ４の内部に流入させる流入口（図示せず）が設けられる。前記流入口は、前記給水口３５５とタブ４の上部面とを連結するように設けられてもよく、給水口３５５の下部に位置し、タブ４の上部面を貫通するように設けられたホール（ｈｏｌｅ）として備えられてもよい。
【００５０】
前記ドラム５は、上部面が開放された円筒形状に設けられてもよく、前記ドラム５は、前記タブ４の外部に設けられた駆動部６によってタブ４の内部で回転できる。
【００５１】
前記駆動部６は、タブ４に固定されて回転磁場を形成するステータ６１と、回転磁場により回転するローター６３と、タブ４を貫通してドラム５とローター６３とを連結する駆動軸６５とを備えることができる。
【００５２】
前記ドラム５の外周面には、ドラム５の内部をタブ４の内部と連通させるドラム貫通孔５１が設けられる。
【００５３】
収容部がタブ４及びドラム５を備えることは、本発明に備えられた第１処理装置Ｌが洗濯機能を行うことができるようにするためである。したがって、第１処理装置Ｌが洗濯物の乾燥機能も行うことができるようにするためには、キャビネット２の内部には、タブ４へ熱風を供給する熱風供給装置（図示せず）がさらに設けられなければならない。
【００５４】
第１処理装置Ｌに設けられる熱風供給装置（図示せず）は、上述した第２熱風供給装置と同一に設けることができるので、詳細な説明は省略する。
【００５５】
一方、第１処理装置Ｌが洗濯物の乾燥のみを行うように設けられる場合、収容部はドラム５のみを備え、第１処理装置に設けられる熱風供給装置は、ドラム５に熱風を供給するように設けられなければならない。
【００５６】
本発明に備えられた第１処理装置Ｌは、給水部７を介して、衣類処理装置１００の外部に位置した給水源に連結される。前記給水部７は、給水源（図示せず）と給水口３５５とを連結する給水管７３、及び制御部Ｃによって給水管７３を開閉するバルブ７１を備えることができる。
【００５７】
前記タブ４に貯蔵された洗濯水は、排水部８を介してキャビネット２の外部に排出され、前記排水部８は、タブ４の内部の洗濯水をキャビネット２の外部に案内する排水管８３と、前記排水管８３に設けられてタブ４の内部の洗濯水を排出させるポンプ８１（制御部によって制御される）とを備えることができる。
【００５８】
上述した構造を有する第１処理装置Ｌは、ドラム５に洗濯物が貯蔵されるので、使用者が洗濯物の引き出しのためにドロワー３をキャビネット２から引き出すと、重心がキャビネット２の前方へ移動するようになる。
【００５９】
ドロワー３がキャビネット２から引き出されることによって、第１処理装置Ｌの重心がキャビネット２の前方へ移動すると、第１処理装置Ｌの後方が地面から分離される可能性（第１処理装置Ｌが第１処理装置Ｌの前方に向かって回転する可能性）を排除することができない。
【００６０】
第２処理装置Ｔが第１処理装置Ｌの上部面２７に設けられれば、第１処理装置Ｌの振動を抑制できるだけでなく、上述した問題を解決することができる。
【００６１】
しかし、使用者に応じて、第１処理装置Ｌの上部に第２処理装置Ｔを載置させていない状態で第１処理装置Ｌのみを使用する場合が発生することがあるので、本発明に設けられた第１処理装置Ｌは、第１処理装置Ｌの上部に第２処理装置Ｔのような物体が載置された場合にのみ第１処理装置Ｌが作動できるようにする接続部９がさらに備えられる。
【００６２】
上述した接続部９は、制御部Ｃと制御対象（駆動部６、給水部７、排水部８、入力部３３２及び表示部３３３）との間の通信回路（ｃｏｍｍｕｎｉｃａｔｉｏｎ  ｃｉｒｕｉｔ）を開閉するように設けられるか、または、制御部Ｃ及び制御対象に電力を供給する電力回路（ｐｏｗｅｒ  ｃｕｉｒｃｕｉｔ）を開閉するように設けられてもよい。また、前記接続部９は、制御対象に電力を供給する電力回路を開閉するように設けられてもよい。
【００６３】
図２（ａ）は、接続部９が制御部Ｃと制御対象との間の通信回路を開閉することによって、第１処理装置Ｌの上部面に第２処理装置Ｔが載置された場合にのみ第１処理装置Ｌが作動できるようにした場合を示したものである。
【００６４】
図２（ａ）は、接続部９が制御部Ｃと制御対象のうちの一部とを連結する回路を開閉するように設けられた場合を示したものである。すなわち、図２（ａ）は、表示部３３３は制御部Ｃに常に接続（電気的に接続）された状態を維持する一方、駆動部６、給水部７、排水部８、入力部３３２は接続部９によって制御部Ｃに接続される構造である。
【００６５】
図２（ａ）に示したものとは異なり、表示部３３３と制御部Ｃとを連結する回路も接続部９によって開閉されるように設けられてもよいが、表示部３３３と制御部Ｃとを連結する回路のみを接続部９に独立して設けたことは、第２処理装置Ｔが第１処理装置Ｌの上部面に載置されていないにもかかわらず使用者が第１処理装置Ｌの作動を望む場合を備えたものである。
【００６６】
すなわち、表示部３３３と制御部Ｃとを連結する回路が制御部Ｃに常に接続された状態を維持すれば、使用者に、第１処理装置Ｌの作動のためには第１処理装置の上部面に第２処理装置Ｔが備えられなければならないというメッセージを表示部３３３に表示できるので、使用者が第１処理装置Ｌの故障を疑うことを防止することができる。
【００６７】
また、表示部３３３と制御部Ｃとを連結する回路が制御部Ｃに常に接続された状態を維持すれば、第２処理装置Ｔが第１処理装置Ｌの上部面に位置していないにもかかわらず使用者が第１処理装置Ｌの作動を望む場合、接続部９を動作させることができる方法（接続部を加圧可能な物体を第１処理装置Ｌの上部面に載置）を使用者に通知することができる。
【００６８】
一方、図２（ｂ）は、接続部９が、制御対象に電力を供給する電力回路を開閉することによって、第１処理装置Ｌの上部面に第２処理装置Ｔが載置された場合にのみ第１処理装置Ｌが作動できるようにした場合を示したものである。
【００６９】
すなわち、図２（ｂ）は、制御部Ｃ及び表示部３３３は、接続部９が作動するか否かに関係なく電源から電力が供給されるが、駆動部６、給水部７、排水部８及び入力部３３２は、接続部９が第２処理装置Ｔのような外部物体によって加圧された場合にのみ電力が供給される場合を示したものである。
【００７０】
図２（ｂ）に示したものとは異なり、制御部Ｃ及び表示部３３３も、接続部９が第２処理装置Ｔの上部面に載置された物体によって加圧された場合にのみ電力が供給されるように構成しても構わないが、制御部Ｃ及び表示部３３３のみを、接続部９が加圧されたか否かに関係なく電力が供給され得るように構成したことは、第２処理装置Ｔが第１処理装置Ｌの上部面に載置されていないにもかかわらず使用者が第１処理装置Ｌの作動を望む場合を備えたものである。
【００７１】
ただし、入力部３３２と表示部３３３が１つのコントロールパネル３３１に設けられる点を考慮するとき、入力部３３２は、表示部３３３と同様に、接続部９の作動に関係なく独立して電力が供給されるように設けられても構わない。
【００７２】
上述した機能を具現する接続部９は、第２処理装置Ｔのように第１処理装置Ｌの上部面２７に位置した外部物体に接触できる限り、キャビネットの上部面２７のどの位置に設けられてもよい。
【００７３】
図３は、接続部９がキャビネット２の上部面２７の後方（開放面２１が位置した方向の反対方向）に設けられた場合を一例として示したものであり、接続部９は、上部面２７に１つのみ設けられてもよく、２つ以上設けられてもよい。
【００７４】
接続部９を２つ以上設けることは、接続部９が、第１処理装置Ｌが作動できるか否かを決定する重要な要素であるので、いずれか１つの接続部９に故障が発生した場合、他の１つの接続部９を通じて第１処理装置Ｌの作動を担保するためである。
【００７５】
キャビネットの上部面２７には、接続部９をキャビネット２の外部に露出させるキャビネット貫通孔２３が設けられなければならず、第２処理装置Ｔの底面（第２キャビネットの底面）には、接続部９を加圧するためのスイッチ作動部１３が設けられてもよい。
【００７６】
図４に示すように、前記スイッチ作動部１３は、第２キャビネット１の底面から突出して設けられるキャビネット突起として備えられてもよい。この場合、キャビネットの上部面２７には、第２キャビネット１の底面を支持するブラケット２５がさらに設けられてもよく、前記ブラケット２５には、スイッチ作動部１３が収容されるブラケット貫通孔２５１が設けられてもよい。
【００７７】
本発明に備えられる接続部９は、キャビネット２の内部に設けられるスイッチのみを備えてもよい。
【００７８】
前記スイッチは、前記キャビネット２の内部に固定されるスイッチボディー９７１と、一端は前記キャビネット貫通孔２３を通してキャビネット２の外部に露出し、他端は前記スイッチボディー９７１の内部で往復するスライダー９７４と、前記スイッチボディー９７１の内部に設けられ、前記スライダー９７４によって回路（通信回路や電力回路）を開閉する接点（ｃｏｎｔａｃｔ）９７７，９７８とを備えることができる。
【００７９】
スイッチボディー９７１には、スライダー９７４が貫通するようにボディー貫通孔９７３が設けられており、前記ボディー貫通孔９７３は、キャビネット貫通孔２３の下部に位置するため、キャビネット貫通孔２３を通して水がキャビネット２の内部に流入する場合、スイッチに故障が発生するおそれがある。
【００８０】
これを防止するために、前記スイッチボディー９７１には、前記ボディー貫通孔９７３を通して水がスイッチボディー９７１の内部に流入することを防止するシーリング部９９がさらに設けられることが好ましい。
【００８１】
前記シーリング部９９は、前記ボディー貫通孔９７３の上部に位置してボディー貫通孔９７３を密閉させることができる限り、いかなる構造で設けられてもよい。図４は、シーリング部９９が、スイッチボディー９７１の外部に露出されたスライダー９７４の外周面、及び前記スイッチボディー９７１の上部面（キャビネット貫通孔に向かうスイッチボディーの一面）を覆うように設けられた場合を一例として示したものである。
【００８２】
図４に示した形態でシーリング部９９が設けられる場合、シーリング部９９によってスライダー９７４の運動が制限され得るので、シーリング部９９は、ゴムのような弾性材質で設けられることが好ましい。
【００８３】
前記スライダー９７４は、スイッチボディー９７１の内部に設けられた弾性支持部９７６によって支持される。したがって、第１処理装置Ｌの上部に第２処理装置Ｔが載置されると、スライダー９７４は接点９７７，９７８に向かって移動し、第２処理装置Ｔが第１処理装置Ｌから分離されると、スライダー９７４は接点９７７，９７８から遠ざかる方向に向かって移動するようになる。
【００８４】
前記接点は、スイッチボディー９７１の内部に固定された第１接点９７７と、前記スイッチボディー９７１の内部に回転可能に設けられ、スライダー９７４によって第１接点９７７に連結される第２接点９７８とを備えることができる。
【００８５】
接続部９が、制御部Ｃと制御対象との間の通信回路を開閉するように設けられる場合、制御対象及び制御部Ｃのいずれか１つは第１接点９７７に接続されるように設けられ、制御対象及び制御部Ｃの残りの１つは第２接点９７８に接続されるように設けられてもよい。
【００８６】
ただし、接続部９が、制御対象に電力を供給する電力回路を開閉するように設けられる場合（図２（ｂ））、制御対象及び制御部Ｃのいずれか１つは電源Ｓに接続されるように設けられ、制御対象及び制御部Ｃの残りの１つは第２接点９７８に接続されるように設けられてもよい。
【００８７】
一方、図４（ａ）に示された接続部９は、スライダー９７４が断面積の小さいバー（ｂａｒ）形状に形成されるので、場合によって、第２処理装置Ｔが第１処理装置Ｌの上部に載置されたにもかかわらず、スイッチ作動部１３がスライダー９７４を加圧できない可能性を排除することができない。
【００８８】
これを防止するために、接続部９は、前記スライダー９７４に固定されて前記キャビネット貫通孔２３に位置し、前記スイッチ作動部１３が接触する、支持面９２５をさらに含むことができる。
【００８９】
図４（ｂ）に示したように、前記支持面９２５の面積は、前記スライダー９７４の断面積よりも大きく形成されることが好ましい。支持面９２５がスライダー９７４に設けられる場合、ボディー貫通孔９７３に水が流入することを防止するシーリング部９９を備えなくても構わない。
【００９０】
図５は、本発明に備えられる接続部９の他の実施例を示すものである。
【００９１】
本実施例に備えられた接続部９は、キャビネット２の内部に固定されるハウジング９１と、前記ハウジング９１を貫通するように設けられ、前記キャビネット貫通孔２３の下部に位置するハウジング貫通孔９１５と、前記制御部Ｃと制御対象とを連結する回路を開閉し、前記ハウジング貫通孔９１５の外部に位置するスイッチ９７と、前記ハウジング貫通孔９１５の内部で往復可能に設けられ、第２処理装置Ｔが第１処理装置Ｌの上部に載置されると前記スイッチ９７を作動させる加圧部９２とを備えることができる。
【００９２】
本実施例に備えられるスイッチ９７は、前記ハウジング９１に固定されるスイッチボディー９７１と、一端は前記ハウジング貫通孔９１５に位置し、他端は前記スイッチボディー９７１の内部で往復するスライダー９７４と、前記スイッチボディーの内部に設けられ、前記スライダー９７４によって回路（通信回路や電力回路）を開閉する接点９７７，９７８とを備えることができる。
【００９３】
すなわち、本実施例は、前記ハウジング貫通孔９１５がキャビネット貫通孔２３の下部に位置しており、スイッチ９７が前記ハウジング貫通孔９１５の外部に位置するので、キャビネット貫通孔２３を介して水がキャビネット２の内部に流入しても、スイッチ９７に水が供給されてスイッチ９７が破損する可能性が非常に低い。
【００９４】
一方、本実施例に備えられる加圧部９２は、前記キャビネット貫通孔２３に位置して第２処理装置Ｔのスイッチ作動部１３が接触する支持面９２５と、前記ハウジング貫通孔９１５の内部に設けられ、前記支持面９２５に連結されたボディー９２１とを備えることができる。
【００９５】
前記ボディー９２１は、支持面９２５から突出するように設けられてハウジング貫通孔９１５に挿入されてもよく、図示のように、連結バー９２７を介して支持面９２５に連結されてもよい。
【００９６】
支持面９２５が第２処理装置のスイッチ作動部１３によって加圧されると、前記ボディー９２１は、ハウジング貫通孔９１５に沿って移動しながらスイッチのスライダー９７４を加圧するようになる。
【００９７】
前記スライダー９７４が前記ボディー９２１によって加圧されることを容易にするために、前記ハウジング貫通孔９１５に露出されたスライダー９７４の一端を加圧するボディー９２１の一面は傾斜面９２３として備えられてもよい。
【００９８】
ただし、前記傾斜面９２３は、前記ハウジング貫通孔に露出されたスライダー９７４の一端に設けられてもよく、前記ハウジング貫通孔に露出されたスライダー９７４及びスライダーを加圧するボディー９２１の一面にそれぞれ設けられてもよい。
【００９９】
スライダー９７４は、弾性支持部９７６を介してスイッチボディー９７１に支持されるので、第２処理装置Ｔが第１処理装置Ｌから除去されると、スライダー９７４の一端がボディー９２１を加圧するので、加圧部９２は初期位置（図５（ｂ））に復帰するようになる。
【０１００】
第２処理装置Ｔが第１処理装置Ｌから分離された場合に、加圧部９２が初期位置に復帰することを容易にするために、ハウジング貫通孔９１５には、ボディー９２１を支持する弾性支持部（図示せず）がさらに設けられてもよい。
【０１０１】
さらに、図５の接続部９は、ボディー９２１がハウジング貫通孔９１５の内部で往復運動することを案内する加圧部ガイダー９５がさらに設けられてもよい。
【０１０２】
前記加圧部ガイダー９５は、ボディー９２１及びハウジング貫通孔９１５のいずれか一方に設けられる突起９５１と、ボディー９２１及びハウジング貫通孔９１５の他方に設けられて前記突起が収容される収容溝９５３とを備えることができる。
【０１０３】
図５は、突起９５１は、ハウジング貫通孔９１５の高さ方向に沿ってハウジング貫通孔９１５の内周面から突出して設けられ、収容溝９５３は、ボディー９２１の外周面が凹状に折れ曲がって設けられた場合を一例として示したものである。
【０１０４】
本発明は、様々な形態に変形して実施可能であり、上述した実施例にその権利範囲が限定されるものではない。したがって、変形した実施例が本発明の特許請求の範囲の構成要素を含んでいる場合、本発明の権利範囲に属するものと解さねばならない。
【図１】
2015226773.tif 000003
【図２】
2015226773.tif 000004
【図３】
2015226773.tif 000005
【図４】
2015226773.tif 000006
【図５】
2015226773.tif 000007